(57)【要約】【課題】  外装材（パネル）を躯体に取付るのに、強固で且つ容易に取付られ、しかも、取り外しも容易である外装材の躯体取付装置を提供するものである。【解決手段】  外装材１と、上方に躯体取付部１０と下方に外装材取付部１１と、それらの間に形成の被挿入孔１３とより成る上部取付金具２と、上方に外装材取付部１７と、下方に挿入部１８より成る下部取付金具３とを備えている。そして、前記外装材１の上部に前記上部取付金具２を、下部に前記下部取付金具３をそれぞれ取付け、この外装材１に取付られた下部取付金具３の挿入部１８を、既設の外装材の上部取付金具２の被挿入孔１３に挿入する。そして上部取付金具２の躯体取付部１０をビス２６により躯体２２に取付ける。【選択図】        図４
2007039964.tif 000002
【特許請求の範囲】
【請求項１】
外装材と、
上方に躯体取付部と、下方に外装材取付部と、それらの間に形成の被挿入孔とより成る上部取付金具と、
上方に外装材取付部と、下方に挿入部とより成る下部取付金具とを備え、
前記外装材の上部に前記上部取付金具を、下部に前記下部取付金具をそれぞれ取付け、そして、この外装材に取付られた下部取付金具の挿入部を、既設の外装材の上部取付金具の被挿入孔に挿入すると共に、上部取付金具の躯体取付部を躯体に取付けたことを特徴とする外装材の躯体取付装置。
【請求項２】
前記外装材の上部に前記上部取付金具を、そして下部に前記下部取付金具の取付は、接着剤と、リベット止によることを特徴とする請求項１記載の外装材の躯体取付装置。
【請求項３】
前記上部取付金具の躯体取付部の躯体への取付は、ビスによることを特徴とする請求項１記載の外装材の躯体取付装置。
【請求項４】
前記被挿入孔は、横方向に伸びる長孔であることを特徴とする請求項１記載の外装材の躯体取付装置。
【請求項５】
前記上部取付金具の躯体取付部と、外装材取付部との間に段部が形成されたことを特徴とする請求項１記載の外装材の躯体取付装置。
【請求項６】
前記下部取付金具の外装材取付部と、挿入部との間に段部が形成されたことを特徴とする請求項１記載の外装材の躯体取付装置。
【発明の詳細な説明】
【技術分野】
【０００１】
この発明は、乾式工法で石材等の外装材を建物などの躯体に取付ける外装材の躯体取付装置に関する。
【背景技術】
【０００２】
建物の躯体壁面に石材などの外装材を乾式工法により取付ける技術は多数存在する。例えば特許文献１に示すごとく、外壁パネル１の上端に立上片１２ａを、下端に溝１３を設けている。そして、それを取付ける取付金具２も、前記壁面パネル１に対応した形状をなしている。この例では、取付金具２と外装パネル１とは、縦方向に係合しているが、横方向には係合状態に無く、その結果として、ずれやすい欠点を有していた。
【特許文献１】特開平２−４７４６０号公報
【０００３】
このため、特許文献２に示す発明が開発されている。即ち、外装材１として、表面に石材４が裏面にアルミハニカムパネル７が接着されて構成され、取付金具２ａ，２ｂとして、躯体壁面に取付ける取付部１０と、該躯体壁面との隙間を持たせる隙間形成部１３と、前記外装材のアルミハニカムパネル７へ挿入する差し込み部１４を有しており、この取付用金具２ａ，２ｂの取付部１０を躯体壁面に固定し、その固定の前又は後に取付用金具２ａ，２ｂの隙間形成部１３を外装材１の裏面に当接させながら差し込み部１４を前記アルミハニカムパネル７に挿入して躯体壁面に外装材１を取付けている。
【特許文献２】特開平１０−６１１４３号公報
【発明の開示】
【発明が解決しようとする課題】
【０００４】
前述の特許文献２にあっては、外装材１が躯体壁面への取付時に、取付金具２ａ，２ｂの差し込み部１４が、外装材１の裏面にあるアルミハニカムパネル７に挿入される。このアルミハニカムパネルは薄いアルミフィルムより作られているので、破りながら挿入される。この挿入により差し込み部と、アルミハニカムは確実に係合される。
【０００５】
しかしながら、取付金具２ａ，２ｂがアルミハニカムパネルへの破りながらの挿入のため強度的に弱い欠点を有していた。即ち、外装材１に強い力が加わると、アルミハニカムパネルのアルミニウムフィルの裂部が拡大し、結合が緩くなり、外装材が動などして規則的な配置が不揃となるなどの問題が発生していた。
【０００６】
そこで、この発明は、外装材（パネル）の躯体への取付が強固であると共に、その取付が簡単で且つ取付も上部取付金具を躯体に取付るだけで良い取付手数の少ない外装材の躯体取付装置を提供する。
【課題を解決するための手段】
【０００７】
この発明に係る外装材の躯体取付装置は、外装材と、上方に躯体取付部と、下方に外装材取付部と、それらの間に形成の被挿入孔とより成る上部取付金具と、上方に外装材取付部と、下方に挿入部とより成る下部取付金具とを備え、前記外装材の上部に前記上部取付金具を、下部に前記下部取付金具をそれぞれ取付け、そして、この外装材に取付られた下部取付金具の挿入部を、既設の外装材の上部取付金具の被挿入孔に挿入すると共に、上部取付金具の躯体取付部を躯体に取付けたことにある（請求項１）。
【０００８】
これにより、外装材は躯体に上部取付金具と下部取付金具とにより取付られるが、下部取付金具は既設の上部取付金具に係止して固定され、また上部取付金具は躯体にねじ止めされ固定されて、取付作業は、上部取付金具の固定だけで済み、取付作業の簡素化が図れる。また上下の取付金具は外装材にリベットや接着剤で強固に固着されていることから（請求項２）、（請求項３）、結合が緩むことがない。
【０００９】
前述の被挿入孔は横方向に伸びる長孔であるし（請求項４）、上部及び下部取付金具の躯体取付部と外装材取付部との間に段部が形成され（請求項５，６）、これにより、下部取付金具の挿入部が上部取付金具の被挿入孔に挿入を容易とする。
【発明を実施するための最良の形態】
【００１０】
以下、この発明の実施例を図面にもとづいて説明する。
【実施例１】
【００１１】
図１において、外装材（パネル）１に上部及び下部取付金具２，３を取付けた斜視図が図示されている。外装材１は、表面に天然又は人工の石材４が配され、その裏面に、アルミニウムの薄いフィルムを六角形状にして構成のアルミハニカム５を、これを挟持した２枚のアルミニウム又は樹脂板６，６とより成るハニカムパネル７が接着剤にて接着されている。このように、表面に石材４が裏面にハニカムパネル７を有しているため、同サイズの石材に比して軽くすることができる。
【００１２】
上部取付金具２は、図２にも示すように、上方に躯体取付部１０が、下方に外装材取付部１１とより成り、それらの間に折り曲げられて横方向に段部１２が形成され、該段部１２に横方向に伸びる長い孔の被挿入孔１３が形成されている。この被挿入孔１３には、下記する下部取付金具３の挿入部１８が挿入される。なお、躯体取付部１０は躯体にねじ止めするための穴１４が形成されており、また外装材取付部１１には外装材１のハニカムパネル７を取付けるリベット穴１５が２つ形成されている。
【００１３】
下部取付金具３は、図３に示すように、上方に外装材取付部１７が、下方に挿入部１８とより成り、それらの間に折り曲げられて横方向に段部１９が形成されている。そして、前記外装材取付部１７には外装材１のハニカムパネル７を取付けるリベット穴２０が２つ形成されている。
【００１４】
図４，図５において、外装材１を躯体２２に取付るには、工場において、図１に示すように、上部及び下部取付金具２，３が外装材１のハニカムパネル７にリベット２３，２４及び接着剤により固定され、図１に示す状態にて施工現場に運ばれる。
【００１５】
運ばれた外装材１は、まず取付られる躯体２２の最も下部に取付られる。即ち、上部取付金具２のビス穴１４にビス２６を挿入し、躯体２２にねじ込む。これにより、外装材１は取付られる。なお、下部取付金具３は躯体２２に適宜固定される。そして、この最も下部の外装材１が横方向に順次取付られる。
【００１６】
それから、その上に２段目の外装材１を取付るには、まず、下部取付金具３の挿入部１８が既設の上部取付金具２の被挿入孔１３内に挿入し、そして、外装材１をすき間なく適切に積み上げ、上部取付金具２のビス穴１４にビス２６を入れ躯体２２にねじ込む。即ち、外装材１は、上部取付金具２においてはビス２６により、下部取付金具３においては挿入部１８の既設の上部取付金具２との係止により行われる。さらに３段目、４段目等の複数段目の施工は上述したように積み上げて取付られる。
【００１７】
既設の外装材１の取り外しは、ビス２６を外せば上部取付金具２を躯体２２より外せるため、外装材１を手に持って、下部取付金具３の挿入部１８を他の上部取付金具２の被挿入部１３から抜けば、外装材１は簡単に取り外すことができる。
【００１８】
前述した実施例では、外装材１に１個の上部取付金具２と下部取付金具３を取付けているが、外装材１の大きさによりそれぞれ複数個設けるようにしても良い。また、上部取付金具２の躯体取付部１０に形成のビス穴１４を複数に設けるようにしても良い。
【図面の簡単な説明】
【００１９】
【図１】この発明に用いられる外装材１の斜視図である。
【図２】上部取付金具の斜視図である。
【図３】下部取付金具の斜視図である。
【図４】外装材の取付状態を示す斜視図である。
【図５】同上の側面図である。
【符号の説明】
【００２０】
１  外装材
２  上部取付金具
３  下部取付金具
４  石材
６  アルミニウム又は樹脂板
７  ハニカムパネル
１０  躯体取付部
１１  外装材取付部
１２  段部
１３  被挿入孔
１４  ビス穴
１５  リベット穴
１７  外装材取付部
１８  挿入部
１９  段部
２０  リベット穴
２２  躯体
２３  リベット
２４  リベット
２６  ビス
【図１】
2007039964.tif 000003
【図２】
2007039964.tif 000004
【図３】
2007039964.tif 000005
【図４】
2007039964.tif 000006
【図５】
2007039964.tif 000007